(57)【要約】【課題】１つのフィルタエレメントで実現したコンパクトな液／液分離フィルタを提供する。【解決手段】フィルタエレメント３の濾材部８を、内周空間１２に導入された流体（燃料等）が通過する順に、流体に含まれる固形物を捕捉除去する固形物除去部５と、流体に含まれる水を凝集させて水滴化する水凝集部６と、下部に開口部７ａを有し、流体を通過させるとともに水滴を遮断する水分離部７とで構成し、水凝集部６で凝集させて水滴化した水を開口部７ａから析出させて外周空間１３の下部に沈降させることにより、固形物の捕捉性能と遊離水分の分離性能を向上させて一つのフィルタエレメント３で液／液分離フィルタ１を実現する。【選択図】  図１
2004195418.tif 000002
【特許請求の範囲】
【請求項１】
流入孔及び流出孔が形成されたケースと、前記ケース内に配設され濾材部を有するフィルタエレメントとを有し、
前記フィルタエレメントが、前記ケース内を、前記流入孔が連通する流入空間と前記流出孔が連通する流出空間とに分離するように配設され、
前記流入孔から前記流入空間に導入された流体を前記濾材部を通過させて前記流出空間に流出させ前記流出孔から外部に流出させるように構成した液／液分離フィルタにおいて、
前記濾材部が、前記流入空間に導入された前記燃料を通過させて前記流体に含まれる固形物を捕捉除去する固形物除去部と、
前記固形物除去部を通過した前記流体を通過させて、前記流体に含まれる水を凝集させて水滴化する水凝集部と、
下部に開口する開口部を有し、前記水凝集部を通過した前記流体を通過させるとともに、前記水凝集部で凝集させて水滴化した水を遮断して前記水凝集部内を下方に沈降させてさらに成長させ、成長した水滴を前記開口部から前記流出空間に析出させる水分離部とで構成されることを特徴とする液／液分離フィルタ。
【請求項２】
前記濾材部の前記流入空間側の面の下部に、前記流入空間に導入された前記流体を前記固形物除去部の上部から通過させるようにガイドするガイド部を有するように構成したことを特徴とする請求項１に記載の液／液分離フィルタ。
【請求項３】
前記濾材部の前記水凝集部が、前記流体が通過する順に、
前記流体に含まれる水を凝集して水滴化する第１の濾材と、
前記流体に含まれる水をさらに凝集して水滴化する第２の濾材と、
前記第１及び第２の濾材で水滴化された水をさらに成長させる第３の濾材とから構成されることを特徴とする請求項１または２に記載の液／液分離フィルタ。
【請求項４】
前記第３の濾材の上部を前記開口部から前記流出空間に突出させ、前記水凝集部において前記第２の濾材と前記水分離部との間に空間を有するように構成し、前記第１及び第２の濾材で凝集されて水滴化した水を前記空間において下方に沈降させ、さらに前記第３の濾材を通過させて前記水滴化した水をさらに成長させ、成長した水滴を前記開口部から前記流出空間に析出させるように構成したことを特徴とする請求項３に記載の液／液分離フィルタ。
【請求項５】
前記固形物除去部は、１００μｍ以下の濾過精度を有する天然繊維、化学繊維、無機繊維若しくは金属繊維のいずれかの素材を蛇腹状に折り畳んで環状に形成して構成され、
前記水凝集部の第１の濾材は、マット形状に形成された１００μｍ以下の濾過精度を有する天然繊維、化学繊維、無機繊維若しくは金属繊維のいずれかの素材で構成され、
前記第２の濾材は、マット形状に形成された１００μｍ以下の濾過精度を有する天然繊維、化学繊維、無機繊維若しくは金属繊維のいずれかの素材で構成され、
前記第３の濾材は、マット形状に形成された１００μｍ以下の濾過精度を有する天然繊維、化学繊維、無機繊維若しくは金属繊維のいずれかの素材で構成され、
前記水分離部は、撥水処理を施したメッシュ数５０８以下の樹脂製素材、または、撥水処理を施した２００／１４００以下の金属メッシュ若しくは焼結品で構成されることを特徴とする請求項３または４に記載の液／液分離フィルタ。
【発明の詳細な説明】
【０００１】
【発明の属する技術分野】
本発明は、燃料等の流体に含まれる固形物を捕捉除去するとともに遊離水分を分離除去する液／液分離フィルタに関する。
【０００２】
【従来の技術】
灯油、軽油、ガソリン等の燃料には固形物や遊離水分が混入されていることがあるため、出荷時等にこれらの燃料に含まれる固形物を捕捉除去するとともに遊離水分を分離除去して燃料を清浄にすることを目的に液／液分離フィルタが利用されている。液／液分離フィルタは、フィルタエレメントに燃料等の流体を通過させ、この流体に含まれる固形物を捕捉除去するとともに遊離水分を凝集させて水滴に成長させることによりこの水滴の自重で液／液分離フィルタの下方に沈降させて流体から分離除去している（例えば、特許文献１参照）。
【０００３】
しかし、フィルタエレメントで凝集されて水滴化した水のうち、小さな水滴は下方に沈降せずに流体とともに液／液分離フィルタから流出してしまうため、液／液分離フィルタにおける遊離水分の分離性能を悪化させる。このため、図５に示すように、凝集されて水滴化した水を分離するための別のフィルタエレメントを用意してこのフィルタエレメントで水滴を分離してから流体を流出させるという構造のものが利用されている（例えば、特許文献２参照）。
【０００４】
図５は２つのフィルタエレメント２３，２４を用いて流体に含まれる固形物と遊離水分の除去を行う液／液分離フィルタ２１を示している。この液／液分離フィルタ２１は、流入孔２５から導入された流体を第１のフィルタエレメント２３を通過させてこの流体に含まれる固形物を捕捉除去するとともに遊離水分を凝集させて水滴化する（この第１のフィルタエレメント２３を「コアレッサカートリッジ２３」と呼ぶ）。ある程度の大きさに凝集されて水滴化した水は自重で液／液分離フィルタ２１の内部空間２２の下方に沈降して水Ｍとして溜まるが、小さな水滴は流体と共に液／液分離フィルタ２１から流出しようとする。そのため、第２のフィルタエレメント２４を配設し、この第２フィルタエレメント２４で小さな水滴を分離して流体だけを流出孔２６から流出させるように構成している（この第２のフィルタエレメント２４を「セパレータカートリッジ２４」と呼ぶ）。
【０００５】
【特許文献１】
特開平５−１８１４号公報
【特許文献２】
特開平８−３８８０５号公報
【０００６】
【発明が解決しようとする課題】
しかしながら、コアレッサカートリッジ２３とセパレータカートリッジ２４の２つのフィルタエレメントを設けた場合、流体に含まれる遊離水分の分離性能は向上するが、２つのフィルタエレメントを収納するため液／液分離フィルタ２１が大型化してしまうという課題があった。
【０００７】
本発明はこのような課題に鑑みなされたものであり、コアレッサカートリッジとセパレータカートリッジの機能を一つのフィルタエレメントで実現してコンパクト化した液／液分離フィルタを提供する。
【０００８】
【課題を解決するための手段】
前記課題を解決するために、本発明に係る液／液分離フィルタは、流入孔及び流出孔が形成されたケースと、このケース内に配設され濾材部を有するフィルタエレメントとを有し、フィルタエレメントがケース内を流入孔が連通する流入空間（例えば、実施形態における内周空間１２）と流出孔が連通する流出空間（例えば、実施形態における外周空間１３）とに分離するように配設され、流入孔から流入空間に導入された流体を濾材部を通過させて流出空間に流出させ、流出孔から外部に流出させるように構成される。そして、この濾材部が、流入空間に導入された流体を通過させて流体に含まれる固形物を捕捉除去する固形物除去部と、固形物除去部を通過した流体を通過させて、流体に含まれる水を凝集させて水滴化する水凝集部と、下部に開口する開口部を有し、水凝集部を通過した流体を通過させるとともに、水凝集部で凝集させて水滴化した水を遮断して水凝集部内を下方に沈降させてさらに成長させ、成長した水滴を開口部から流出空間に析出させる水分離部とから構成される。
【０００９】
このような構成によれば、１つのフィルタエレメントだけで、固形物の捕捉除去をするとともに、流体に含まれる遊離水分を凝集させてより大きな水滴にすることができるため、この水滴は自重で液／液分離フィルタの下部に沈降して溜まり、流体に含まれる遊離水分は分離されて除去することができる。そのため、２つのフィルタエレメントで液／液分離フィルタを構成したときに比べて、液／液分離フィルタをコンパクト化することができる。
【００１０】
なお、濾材部の流入空間側の面の下部に、流入空間に導入された流体を固形物除去部の上部から通過させるようにガイドするガイド部（例えば、実施形態における無孔部４ｂ）を有するように構成することが好ましい。
【００１１】
このような構成によれば、フィルタエレメントを構成する濾材部の上部を流体が流れるようになるため、水凝集部で凝集させて水滴化した水は水分離部で遮断され、この水滴は水凝集部内を下方に沈降する。このため、水滴化した水はさらに成長して大きくなり、開口部から流出空間に析出した水滴は、この流出空間においてより沈降しやすくなるため、水滴が流体とともに流出孔から流出することがなくなり、液／液分離フィルタの遊離水分の分離性能を向上させることができる。
【００１２】
また、濾材部を構成する水凝集部が、流体が通過する順に、流体に含まれる水を凝集させて水滴化する第１の濾材と、流体に含まれる水をさらに凝集させて水滴化する第２の濾材と、第１及び第２の濾材で水滴化された水をさらに成長させる第３の濾材とから構成することが好ましい。
【００１３】
このような構成によると、水凝集部で凝集させて水滴化した水が大きくなるため、開口部から流出空間に析出した水滴はこの流出空間においてより沈降しやすくなるため、液／液分離フィルタの水分離性能が向上する。
【００１４】
このとき、第３の濾材の上部を開口部から流出空間に突出させ、水凝集部において第２の濾材と水分離部との間に空間を有するように構成し、第１及び第２の濾材で凝集して水滴化した水をこの空間において下方に沈降させ、さらに第３の濾材を通過させて水滴化した水をさらに成長させ、成長した水滴を開口部から流出空間に析出させるように構成することが好ましい。
【００１５】
このような構成によると、第１及び第２の濾材で凝集して水滴化した水が第２の濾材と水分離部との間に形成された空間を容易に下方に沈降するため、水分離部と水凝集部の境界に水滴が滞留してこの水分離部を通過する水滴がなくなり、液／液分離フィルタの水分離性能を向上させることができる。
【００１６】
また、固形物除去部は、１００μｍ以下の濾過精度を有する天然繊維、化学繊維、無機繊維若しくは金属繊維のいずれかの素材を蛇腹状に折り畳んで環状に形成して構成され、水凝集部の第１の濾材は、マット形状に形成された１００μｍ以下の濾過精度を有する天然繊維、化学繊維、無機繊維若しくは金属繊維のいずれかの素材で構成され、第２の濾材は、マット形状に形成された１００μｍ以下の濾過精度を有する天然繊維、化学繊維、無機繊維若しくは金属繊維のいずれかの素材で構成され、第３の濾材は、マット形状に形成された１００μｍ以下の濾過精度を有する天然繊維、化学繊維、無機繊維若しくは金属繊維のいずれかの素材で構成され、水分離部は、撥水処理を施したメッシュ数５０８以下の樹脂製素材、または、撥水処理を施した２００／１４００以下の金属メッシュ若しくは焼結品で構成されることが好ましい。
【００１７】
このような構成よれば、固形物除去部での固形物の捕捉性能が上がるとともに、水凝集部の第１〜３の濾材での遊離水分の凝集性能が向上し、また、水分離部で流体を通過させるとともに水の遮断性能を向上させることができるため、この濾材部で凝集される水滴の径が大きくなって沈降しやすくなり、液／液分離フィルタにおける水の分離性能を向上させることができる。
【００１８】
【発明の実施の形態】
以下、本発明の好ましい実施形態について図面を参照して説明する。まず、本発明に係る液／液分離フィルタ１を図２及び図３を用いて説明する。なお、以降の説明では、流体として灯油、軽油、ガソリン等の燃料を本発明に係る液／液分離フィルタ１で濾過する場合について説明する。液／液分離フィルタ１は、有底円筒状のケース２と、このケース２内に配設されるフィルタエレメント３とから構成されている。フィルタエレメント３は、その円周面に多数の開孔４ａが形成された円筒状のインナーチューブ４と、このインナーチューブ４の内周面に密接して配設された固形物除去部５，インナーチューブ４の外周面に密接して配設された水凝集部６、水凝集部６の外周面に密接して配設された水分離部７とから構成される円筒状の濾材部８とを有している。さらに、水凝集部６はインナーチューブ４の外周面に密接して配設された第１の濾材６ａ、第１の濾材６ａの外周面に密接して配設された第２の濾材６ｂ及び第２の濾材６ｂの外周面に密接して配設された第３の濾材６ｃとから構成されている。そして、フィルタエレメント３は、インナーチューブ４と濾材部８とが円筒軸方向両端に配設されたエンドプレート１１，１１で挟持されて構成されている。なお、エンドプレート１１には、開口１１ａが形成されており、この開口１１ａが、フィルタエレメント３を構成する濾材部８の内周面及びエンドプレート１１，１１で囲まれた内周空間１２に連通している。
【００１９】
なお、水分離部７は固形物除去部５及び水凝集部６より円筒軸方向長さが短く形成されており、濾材部８の外周面の円筒軸方向の一端から所定の円筒軸方向幅を有して水凝集部６（第３の濾材６ｃ）の外周面が露出するように開口部７ａが形成されている。また、濾材部８の開口部７ａと対向するインナーチューブ４の円周面には、上述の開孔４ａを有しない無孔部４ｂが所定の円筒軸方向幅を有して形成されている。なお、開口部７ａと無孔部４ｂの円筒軸方向幅は略同一になるように形成されている。
【００２０】
この液／液分離フィルタ１は、フィルタエレメント３の円筒軸方向が略鉛直方向に向くように配設されており、このとき、上述の開口部７ａ及び無孔部４ｂは共にフィルタエレメント３の下端にあるようにフィルタエレメント３が配設される。また、ケース２内に配設されたフィルタエレメント３は、このケース２内を、フィルタエレメント３の内周面で囲まれた内周空間１２と、フィルタエレメント３の外周面とケース２の内面で囲まれた外周空間１３とに分離するように配設される。さらに、ケース２の下部にはケース２の外部からケース２内に延びる流入孔１４が形成され、ケース２の上部にはケース２の外部から外周空間１３に連通する流出孔１５が形成されている。このとき、フィルタエレメント３は、流入孔１４がフィルタエレメント３の下部に配設されるエンドプレート１１の開孔１１ａから挿入されて内周空間１２に連通するように配設される。なお、流入孔１４と下部のエンドプレート１１の開孔１１ａの間には図示しないシール部材等が配設され、外周空間１３からこの下部のエンドプレート１１の開孔１１ａを通って燃料が内周空間１２に流入することはない。また、フィルタエレメント３の上部のエンドプレート１１の開孔１１ａは、図示しない部材により塞がれるように構成されており、上部のエンドプレート１１の開孔１１ａを通って燃料が内周空間１２に流入することもない。
【００２１】
以上より、液／液分離フィルタ１は流入孔１４から燃料を内周空間１２に導入し、この内周空間１２に導入された燃料をフィルタエレメント３を構成する濾材部８の内周面から内部を外周面に向かって通過させて外周空間１３に流出させ、さらに、外周空間１３から流出孔１５を通って外部に流出させるように構成されている。
【００２２】
次に、以上のように構成された液／液分離フィルタ１により燃料を濾過する場合について図１を用いて説明する。燃料は流入孔１４より液／液分離フィルタ１の内周空間１２に導入される。内周空間１２に導入された燃料は固形物除去部５を通過する。固形物除去部５では燃料に含まれる固形物を捕捉して除去する。固形物除去部５を通過した燃料は、インナーチューブ４の開孔４ａを通って水凝集部６の第１の濾材６ａを通過する。第１の濾材６ａでは燃料に含まれる遊離水分を凝集させて水滴化する。第１の濾材６ａを通過した燃料及びこの第１の濾材６ａで凝集されて水滴化した水は第２の濾材６ｂを通過する。第２の濾材６ｂでも燃料に含まれる遊離水分を凝集させて水滴化する。第２の濾材６ｂを通過した燃料及び水滴化した水と第２の濾材６ｂで凝集されて水滴化した水は第３の濾材６ｃを通過する。第３の濾材６ｃでは、第１及び第２の濾材６ａ，６ｂで凝集されて水滴化した水をより大きな水に成長させる。第３の濾材６ｃを通過した燃料は水分離部７を通過して外周空間１３に流出する。
【００２３】
このとき、水凝集部６で凝集されて水滴化した水は水分離部７で遮断されてこの水分離部７を通過することができず、自重で水凝集部６の第３の濾材６ｃの内部を下方に沈降して通過する。そのため、この水滴化された水は第３の濾材６ｃで大きな水に成長させられる。そして、上述のように、フィルタエレメント３の濾材部８の外周面の下部には水分離部７に覆われておらず水凝集部６の第３の濾材６ｃが外周面に露出した開口部７ａを有しているため、第３の濾材６ｃを沈降した水は、この開口部７ａから水滴として外周空間１３に析出し、自重で外周空間１３の下部に沈降して外周空間１３の底面に水Ｍとして溜まる。
【００２４】
流入孔１４より内周空間１２に導入された燃料は、濾材部８を水平方向に放射状に通過するように流れて外周空間１３に流出する。よって、濾材部８の開口部７ａに対向する部分のインナーチューブ４に無孔部４ｂを設けることにより、この無孔部４ｂにガイドされて燃料の多くは濾材部８の上部を流れて水分離部７を通過するため、水凝集部６で凝集されて水滴化した水はこの水分離部７で遮断されて水凝集部６の第３の濾材６ｃを下方に向かって沈降することになり、水をより大きく成長させることができ遊離水分の分離性能を向上させることができる。
【００２５】
濾材部８を通過して外周空間１３に流出した燃料は固形物が捕捉除去されるとともに遊離水分が分離除去されて清浄な燃料となっており、流出孔１５から外部に流出する。流出孔１５は上述の通り、ケース２の上部に形成されているため、濾材部８で水滴化してケース２の下部に溜まった水Ｍがこの流出孔１５から流出することはない。
【００２６】
以上のように構成された液／液分離フィルタ１において、フィルタエレメント３を構成する濾材部８は、固形物の捕捉性能及び遊離水分の分離性能を高めるために、次のような素材及び形状とすることが好ましい。固形物除去部５は、１００μｍ以下の濾過精度を有する天然繊維、化学繊維、無機繊維若しくは金属繊維のいずれかの素材を蛇腹状に折り畳んで環状にし、断面菊花状に形成して構成する。水凝集部６の第１の濾材６ａは、マット形状に形成された１００μｍ以下の濾過精度を有する天然繊維、化学繊維、無機繊維若しくは金属繊維のいずれかの素材で構成する。第２の濾材６ｂは、マット形状に形成された１００μｍ以下の濾過精度を有する天然繊維、化学繊維、無機繊維若しくは金属繊維のいずれかの素材で構成する。第３の濾材６ｃはマット形状に形成され、１００μｍ以下の濾過精度で且つ第１及び第２の濾材６ｂ，６ｃの濾過精度より粗い濾過精度を有する天然繊維、化学繊維、無機繊維若しくは金属繊維のいずれかの素材で構成する。そして、水分離部７は、撥水処理を施したメッシュ数５０８以下の樹脂製素材、または、撥水処理を施した２００／１４００以下の金属メッシュ若しくは焼結品で構成する。
【００２７】
以上のように液／液分離フィルタ１を構成することにより、１つのフィルタエレメント３でも、図５に示すような２つのフィルタエレメント２３，２４を有する従来の液／液分離フィルタ２１と同等あるいはそれ以上の固形物の除去性能及び遊離水分の分離性能を実現することができる。そして、フィルタエレメントを１つとすることにより、液／液分離フィルタ１をコンパクト化することができる。
【００２８】
なお、上述の実施例では、濾材部８を構成する固形物除去部５、インナーチューブ４、水凝集部６及び水分離部７を密接するように配設して構成している。このように構成した場合、フィルタエレメント３を通過する燃料の流量が多い場合等は、水凝集部６で凝集されて水滴化した水が水凝集部６の外周面側（水分離部７と第３の濾材６ｃとの境界面）に滞留して下方に沈降しにくくなる場合がある。水分離部７と第３の濾材６ｃとの境界面に水滴が滞留すると、一部の水滴は水分離部７から外周空間１３に析出してしまう。この水分離部７から析出した水滴は比較的小さく燃料とともに流出孔１５から外部に流出することがある。
【００２９】
そのため、図４に示すように、水凝集部６の第３の濾材６ｃを開口部７ａから外部に突出させて水分離部７の外周面に密接して巻き付ける突出部６ｄを設けるように構成する。このとき、水凝集部６において、第２の濾材６ｂと水分離部７の間には空間６ｅが形成される。このように構成することにより、第２の濾材６ｂを通過した燃料及び水滴のうち、上述の通り燃料は水分離部７を通過するが、水滴は水分離部７で遮断されて、この空間６ｅを下方に沈降する。空間６ｅが形成されているため、第２の濾材６ｂを通過した水滴は容易に下方に沈降することができる。空間６ｅを下方に沈降した水滴は、第３の濾材６ｃを通過するためさらに大きな水滴に成長させられて、開口部７ａを通って外周空間１３に析出し、外周空間１３の下部に溜まる。よって、水滴が水分離部７から外周空間１３に析出することはなく、液／液分離フィルタ１における遊離水分の分離性能を向上させることができる。
【００３０】
なお、以上の実施例において、流入孔１４をケース２の下部に形成した場合について説明を行ったが、この流入孔１４はケース２の上部に形成されても良く、その場合、流入孔１４はフィルタエレメント３の内周空間１２に連通する上部のエンドプレート１１に形成された開孔１１ａから挿入される。また、上述の説明では、フィルタエレメント３を構成するインナーチューブ４の下部に無孔部４ｂを設けて濾材部９の内周面の上部から燃料が通過するようにガイドしていたが、インナーチューブ４の円周面上に均一に開孔４ａを形成し、インナーチューブ４の内周面の下端にこの開孔４ａを塞ぐように円筒状のガイド板を設けて無孔部４ｂを構成することも可能である。
【００３１】
また、以上の実施例では円筒状の液／液分離フィルタ１及びフィルタエレメント３を例に説明を行ったが、本発明がこの形状に限定されるものではなく、他の形状でも同様の効果を得ることが出来る。また、以上の実施例では本発明に係る液／液分離フィルタ１を灯油、軽油、ガソリン等の燃料の濾過に用いる場合について説明したが、潤滑油等の濾過にも用いることができる。
【００３２】
【発明の効果】
以上の説明から明らかなように、本発明に係る液／液分離フィルタによれば、流体（燃料等）を濾過して固形物及び遊離水分を除去するフィルタエレメントの濾材部を、流体が通過する順に、固形物を捕捉除去する固形物除去部と、流体に含まれる水分を凝集して水滴にする水凝集部と、流体を通過させるとともに水滴を遮断する水分離部とで構成し、この水分離部の下部に開口部を形成して、この開口部から凝集して水滴化した水を析出させて液／液分離フィルタの下部に沈降させるように構成されているので、このフィルタエレメント１つで、固形物の捕捉除去及び遊離水分の分離除去を実現することができ、液／液分離フィルタのコンパクト化が図れる。
【００３３】
また、濾材部の流入空間側の下面に、流入空間に導入された流体がこの濾材部の上部から通過するようにガイドするガイド部を有するように構成することにより、濾材部の上部を流体が流れるようになる。このため、水凝集部で凝集して水滴化した水は水分離部で遮断されて水凝集部の第３の濾材中を沈降するため成長して大きくなり、開口部より水滴として析出した水は、流出空間内を沈降しやすくなるため水の分離性能を向上させることができる
【００３４】
また、濾材部を構成する水凝集部が、流体が通過する順に、流体に含まれる水を凝集させて水滴化する第１の濾材と、流体に含まれる水をさらに凝集させて水滴化する第２の濾材と、第１及び第２の濾材で水滴化された水をさらに成長させる第３の濾材とで構成することにより、この水凝集部で凝集されて水滴化した水が大きくなる。そのため、開口部から流出空間に析出した水滴はこの流出空間において沈降しやすくなるため、液／液分離フィルタの水分離性能が向上する。
【００３５】
このとき、第３の濾材の上部を開口部から流出空間に突出させ、水凝集部において第２の濾材と水分離部との間に空間を有するように構成すると、第１及び第２の濾材で凝集して水滴化した水をこの空間において下方に容易に沈降させることができる。この空間を沈降した水滴は、第３の濾材を通過して大きく成長し、開口部から流出空間に析出する。このため、水分離部から析出する水滴が無くなり、液／液分離フィルタの水分離性能を向上することができる。
【００３６】
また、濾材部を構成する固形物除去部、水凝集部及び水分離部をそれぞれの機能を実現するために最適な素材を選定することにより、固形物除去部での固形物の捕捉分離の性能が上がるとともに、水凝集部での遊離水分の水滴への凝集性能が向上し、また、水分離部で流体を通過させるとともに水滴の遮断性能を向上させることができるため、この濾材部で凝集されて水滴化する水がより大きくなって濾材部から析出するため、この水滴は流出空間内を沈降しやすくなり、液／液分離フィルタにおける遊離水分の分離性能を向上させることができる。
【図面の簡単な説明】
【図１】本発明に係る液／液分離フィルタに用いられるフィルタエレメントの左側の断面図であり、燃料を通過させて固形物及び遊離水分を除去する場合を説明する図である。
【図２】本発明に係る液／液分離フィルタを表す概要図である。
【図３】本発明に係る液／液分離フィルタのフィルタエレメントの左側の構成を示す図であり、（Ａ）は円筒軸方向の断面図であり、（Ｂ）は図３（Ａ）のIII−III断面図である。
【図４】本発明に係る液／液分離フィルタのフィルタエレメントの別の実施例を示す構成図であり、（Ａ）は円筒軸方向の断面図であり、（Ｂ）は図４（Ａ）のIV−IV断面図である。
【図５】従来の液／液分離フィルタを表す概要図である。
【符号の説明】
１  液／液分離フィルタ
２  ケース
３  フィルタエレメント
４ｂ  無孔部（ガイド部）
５  固形物除去部
６  水凝集部
６ａ  第１の濾材
６ｂ  第２の濾材
６ｃ  第３の濾材
６ｄ  突出部
６ｅ  空間
７  水分離部
７ａ  開口部
８  濾材部
１２  内周空間（流入空間）
１３  外周空間（流出空間）
１４  流入孔
１５  流出孔
【図１】
2004195418.tif 000003
【図２】
2004195418.tif 000004
【図３】
2004195418.tif 000005
【図４】
2004195418.tif 000006
【図５】
2004195418.tif 000007